(57)【要約】【課題】  原稿を特定する原稿特定情報が基準位置から所定の規則に基づいた位置に原稿と一緒に貼り付けられているデジタル画像から、利用者特定情報を読み取るデジタル画像読取装置およびデジタル画像読取方法を提供する。【解決手段】  原稿特定データ貼付け基準位置取得部１１２と、原稿特定データ貼付け位置移動演算部１１３と、原稿特定データ位置照合演算部１１４とで、入力したデジタル画像データから原稿特定データの貼付け位置を読み取り、その貼付け位置から入力したデジタル画像の利用者を特定する。【選択図】図１
2006352629.tif 000002
【特許請求の範囲】
【請求項１】
原稿を特定する原稿特定情報が基準位置から所定の規則に基づいた位置に原稿と一緒に貼り付けられているデジタル画像から原稿特定情報を読み取るデジタル画像読取装置において、
前記原稿特定情報の貼付け基準位置を抽出する基準位置抽出手段と、
前記原稿特定情報の貼付け位置を前記基準位置から算出する原稿特定情報位置算出手段と
を有することを特徴とするデジタル画像読取装置。
【請求項２】
前記原稿特定情報が前記基準位置から所定の規則に従って平行移動させた位置に貼り付けられていることを特徴とする請求項１に記載のデジタル画像読取装置。
【請求項３】
前記原稿特定情報が前記基準位置を回転中心にして所定の規則に従って回転させた位置に貼り付けられていることを特徴とする請求項１もしくは２に記載のデジタル画像読取装置。
【請求項４】
前記基準位置が前記デジタル画像のヘッダーに付与されていることを特徴とする請求項１から３のいずれかに記載のデジタル画像読取装置。
【請求項５】
前記基準位置が前記原稿特定情報に付与されていることを特徴とする請求項１から３のいずれかに記載のデジタル画像読取装置。
【請求項６】
原稿を特定する原稿特定情報が基準位置から所定の規則に基づいた位置に原稿と一緒に貼り付けられているデジタル画像から原稿特定情報を読み取るデジタル画像読取方法において、
前記原稿特定情報の貼付け基準位置を抽出する基準位置抽出工程と、
前記原稿特定情報の貼付け位置を前記基準位置から算出する原稿特定情報位置算出工程と
を有することを特徴とするデジタル画像読取方法。
【発明の詳細な説明】
【技術分野】
【０００１】
本発明は、配布・配信したデジタル画像から利用者特定情報を読み取るデジタル画像読取装置およびデジタル画像読取方法に関する。
【背景技術】
【０００２】
コンピュータ技術およびデジタル画像技術の進展に伴い、一般の家庭にあるパソコンを利用して写真・絵画・デザイン画、イラストなどのデジタル画像が簡単にコピーできるようになってきた。このような背景から、デジタル画像の著作権保護が社会的な重要課題になっている。そこで、本発明者等は、デジタル画像の不正コピーや改竄を防止するために、利用者特定情報を原稿に付与してデジタル画像を作成するデジタル画像作成装置を提案した。図４から図６は、本発明者等が提案したデジタル画像作成装置を用いて作成したデジタル画像の一構成例である。なお、従来の代表的な特定情報埋め込み装置として、例えば特許文献１に記載された電子透かし埋め込み装置がある。
【０００３】
デジタル画像の構成は、図４に示すように、写真・絵画などの原稿３０１の画像領域外に白枠３０２が設けられ、白枠３０２の中に原稿特定情報３０３、例えば原稿の著作者や所有権者の署名、原稿のタイトルなど原稿を特定する情報、および必要に応じて原稿特定情報貼り付け位置の基準値などが貼付けられている。そして、原稿特定情報３０３の貼り付け位置から利用者特定情報が検出できる構成になっている。すなわち、デジタル画像を作成する毎に、原稿特定情報３０３を基準位置から所定の規則に基づいて異なる位置に移動して貼付け、貼り付けた位置情報と、デジタル画像の画像特定情報（版番、刷順、通し番号などデジタル画像の認証情報）とを関連付け、さらに画像特定情報に利用者特定情報を関連付ける。したがって、配信・配布したデジタル画像をインターネットあるいはデジタル画像記録媒体などから入手した場合、そのデジタル画像から原稿特定情報３０３の貼り付け位置情報を読み取ることによって、利用者を特定することができる構成になっている。
【０００４】
図５は、原稿特定情報の貼り付け位置を移動させる方法の一例を示した図である。白枠データ４０１を原稿データ４０２の周囲に貼り付けた画像データ４０３（横：Ｘピクセル、縦：Ｙピクセル）を、図５ａ）に示すように画素（ピクセル）を単位とするx-y直交座標に割り付ける。点線で示した四角形ＡＢＣＤは、原稿特定情報の貼付け領域４０４（横：ａピクセル（ａ＜Ｘ）、縦：ｂピクセル（ｂ＜Ｙ））であり、頂点Ｄは貼付け領域４０４の位置を示す代表点である。Ｐ１（x１,y１）は貼付け領域４０４を貼り付ける基準点、すなわち原稿特定情報を貼り付ける基準点である。つぎに、このデジタル画像を複数枚作成する場合について説明する。
【０００５】
第１枚目のデジタル画像は、図５ｂ）に示すように貼付け領域４０４を基準点Ｐ１（x１,y１）の位置、すなわち代表点（頂点Ｄ）を基準点Ｐ１（x１,y１）に合致させて貼り付け、貼付け領域４０４内に原稿特定データ（署名データ：図中の「Manabu.M」と原稿タイトルデータ：図中の「タイトル」）を貼り付けて作成する。
【０００６】
第２枚目のデジタル画像は、図５ｃ）に示すように代表点をｘ軸のプラス方向に１ピクセル平行移動させたＰ２（x１+1,y１）の埋め込み領域４０４内に原稿特定データを貼り付けて作成する。同様に第３枚目以降のデジタル画像は代表点を１ピクセルずつ平行移動して作成する。このような方法により、デジタル画像を複製するごとに、原稿特定データの貼り付け位置を基準位置から異なる位置に平行移動して作成し、原稿特定データの貼り付け位置にデジタル画像の画像特定データ（版数、刷順、通し番号など）を関連付ける。このようにして作成したデジタル画像を配信・販売する際に、画像特定データと利用者特定情報とを関連付けて配信・販売する。尚、本図では代表点をｘ軸のプラス方向に１ピクセルずつ平行移動させたが、平行移動させる方向および移動量は本図に限定されるものではなく、目的に応じて適宜設定すればよい。
【０００７】
図６は、原稿特定情報の貼り付け位置を移動させる他の方法を示した図である。第１枚目のデジタル画像は、図５で説明したのと同じ方法により、図６ｂ）に示すように原稿特定データの貼付け領域４０４の代表点と基準点Ｐ１（x１,y１）とを合致させて作成する。第２枚目のデジタル画像は、図６ｃ）に示すように基準点Ｐ１を回転中心にして、貼付け領域４０４を時計回りに１度回転させて作成する。同様に１度ずつ回転角度を増やして貼付け領域４０４を回転させて、第３枚目、第４枚目・・第ｎ枚目のデジタル画像を作成する。また、図５で説明したように代表点を基準点からプラスｙ軸方向へ１ビット平行移動させた点（x１,y１+1）を回転中心にして、１度ずつ回転角度を増やして貼付け領域４０４を回転させても良い。回転中心の位置、回転角度を画像特定データに関連付け、更に画像特定データに利用者特定情報を関連付けることによって、原稿特定データの貼付け位置から利用者を特定することができる。尚、本図では回転角度を１度にして時計回りに回転させたが、回転角度および回転方向は本図に限定されるものではなく、目的に応じて適宜設定すればよい。
【特許文献１】特開平１１−４１４５３号公報
【発明の開示】
【発明が解決しようとする課題】
【０００８】
図４から図６で説明したデジタル画像から利用者特定情報を読み取る装置は未だ提案されていない。そこで本発明は、このデジタル画像から利用者特定情報を読み取るデジタル画像読取装置およびデジタル画像読取方法を提供することを目的とする。
【課題を解決するための手段】
【０００９】
上述したような課題を解決するために、本発明のデジタル画像読取装置は、原稿を特定する原稿特定情報が基準位置から所定の規則に基づいた位置に原稿と一緒に貼り付けられているデジタル画像から原稿特定情報を読み取るデジタル画像読取装置であって、原稿特定情報の基準位置を抽出する基準位置抽出手段と、原稿特定情報の位置を規準位置から算出する原稿特定情報位置算出手段とを有することを特徴とする。
【００１０】
また、本発明のデジタル画像読取方法は、原稿を特定する原稿特定情報が基準位置から所定の規則に基づいた位置に原稿と一緒に貼り付けられているデジタル画像から原稿特定情報を読み取るデジタル画像読取方法において、原稿特定情報の貼付け基準位置を抽出する基準位置抽出工程と、原稿特定情報の貼付け位置を前記基準位置から算出する原稿特定情報位置算出工程とを有することを特徴とする。
【００１１】
このような構成にすることによって、原稿特定情報の位置に関連付けられている利用者特定情報を正確に検出できるため、配信・販売したデジタル画像の不正コピーあるいは改竄を抑止することができると共に原稿の著作者・所有権者の著作権が守れる効果が得られる。
【発明の効果】
【００１２】
本発明のデジタル画像読取装置およびデジタル画像読取方法によれば、簡単な装置および方法で利用者特定情報を正確に検出できる効果が得られる。
【発明を実施するための最良の形態】
【００１３】
以下、本発明の実施の形態について図面を参照しながら説明する。
［実施の形態］
図１は、本発明におけるデジタル画像読取装置の一構成例の主要部を示したブロック構成図である。尚、本デジタル画像読取装置は、図４から図６で説明したデジタル画像から利用者特定情報を読み取る装置である。
【００１４】
デジタル画像読取装置１００はコンピュータ１０１で構成されており、外部のデジタル画像出力装置から出力されたデジタル画像信号を入力する入力端子１０２と、コンピュータ１０１で作成した画像信号を液晶ディスプレイなどの表示装置１０３に出力する出力端子１０４とを備えている。
【００１５】
コンピュータ１０１は、電子データを蓄積する電子データ蓄積部１０５と、電子データを演算処理する中央演算部１０６と、キーボードなどの入力部（図示していない）とから構成されている。
【００１６】
電子データ蓄積部１０５は、原稿データ蓄積部１０７と、原稿特定データ蓄積部１０８と、配信したデジタル画像と配信先の利用者とを関連付けした配信データが蓄積されている配信データ蓄積部１０９とから構成されている。
【００１７】
中央演算部１０６は、入力したデジタル画像から原稿特定データを原稿特定データ蓄積部１０８から取得する原稿特定データ取得演算部１１０と、原稿特定データ取得演算部１１０で取得した原稿特定データに該当する原稿データを原稿データ蓄積部１０７から取得する原稿データ取得演算部１１１と、入力したデジタル画像のヘッダーに付与されている原稿特定データ貼付け位置基準値、もしくは原稿特定データに付与されている原稿特定データ貼付け位置基準値を取得する原稿特定データ貼付け位置基準値取得部１１２と、原稿特定データ取得演算部１１０で取得した原稿特定データの貼付け位置を移動させる原稿特定データ貼付け位置移動演算部１１３と、原稿特定データ貼付け位置移動演算部１１２で移動させた原稿特定データ貼付け位置と、入力したデジタル画像の原稿特定データ貼付け位置とを照合する原稿特定データ貼付け位置照合演算部１１４と、原稿特定データ貼付け位置照合演算部１１４で照合一致した原稿特定データ貼付け位置と、原稿特定データ取得演算部１１０で取得した原稿特定データとに基づいて該当する配信データ（デジタル画像を利用者に配信した際に、画像特定情報すなわち原稿特定データ貼付け位置と利用者特定情報とを関連付けしたもの）を配信データ蓄積部１０９から取得する配信データ取得部とから構成されている。
【００１８】
また、原稿特定データ貼付け位置移動演算部１１３は、原稿特定データ貼付け位置を平行移動させる原稿特定データ貼付け位置平行移動演算部と、原稿特定データ貼付け位置の基準位置を回転中心にして回転させる原稿特定データ貼付け位置回転演算部とから構成されている。
【００１９】
つぎに、図１のデジタル画像読取装置を用いて、インターネットあるいはデジタル画像記録媒体などから入手した配信済みのデジタル画像から利用者特定情報を読み取る方法の一例について、図２及び図３を参照しながら説明する。ここでは、図５に示したデジタル画像を入手した場合について説明する。
【００２０】
図２及び図３は、表示装置１０３に出力した利用者特定情報読取入力画面２０１（以下、入力画面と言う）を用いて利用者特定情報読取方法について説明した図である。
【００２１】
（１）デジタル画像読取装置１００に入手したデジタル画像データを入力する。図２ａ）に示すように、原稿２０２と白枠内に貼り付けられた原稿特定情報（署名とタイトル）２０３（以下、入力原稿特定画像とも言う）とからなる画像２０４が入力画面部２０５に表示される。
【００２２】
（２）原稿特定データ貼付け位置基準値取得部１１２でヘッダーに付与されている原稿特定データ貼付け位置の基準値２０６（ｘ１，ｙ１）を取得する。図２ｂ）に示すように、基準点の座標Ｐ１（ｘ１，ｙ１）が照合画面部２０７に表示される。尚、原稿特定データ貼付け位置基準値が原稿特定データに付与されている場合は、原稿特定データから原稿特定データ貼付け位置基準値が取得される。
【００２３】
（３）原稿特定データ取得演算部１１０で原稿特定情報２０３に対応した原稿特定データを原稿特定データ蓄積部１０８から取得する。原稿特定データの原稿特定画像２０８が照合画面部２０７に表示される。また、原稿データ取得演算部１１０で原稿特定データに該当する原稿データ２０８を原稿データ蓄積部１０７から取得する。原稿データの原稿画像２０９が照合画面部２０７に表示される。このとき、原稿特定画像２０９は基準点Ｐ１（ｘ１，ｙ１）の位置に貼り付けられる（図２ｂ）参照）。
【００２４】
（４）つぎに、原稿特定データ貼付け位置移動演算部１１２（具体的には原稿特定データ貼付け位置平行移動演算部）で貼付け位置をｘ軸方向およびｙ軸方向へ平行移動させる。そして、原稿特定データ貼付け位置照合演算部１１３で、貼付け位置を平行移動させた原稿特定画像２０９と入力原稿特定画像２０３との画素情報（配置、寸法、色など）を照合する。両者が合致しないと、図３ｃ）に示すように、照合結果欄に不一致２１０と表示される。尚、基準位置を回転中心にして貼付け位置を回転させる場合は、原稿特定データ貼付け位置回転演算部で行うことは勿論である。
【００２５】
（５）両者が合致すると、図３ｄ）に示すように、照合結果欄に合致２１１と表示されると同時に、合致した貼付け位置の基準値からの移動量２１２が表示される。
【００２６】
（６）原稿特定データ貼付け位置照合演算部１１４で照合一致した原稿特定データ貼付け位置と、原稿特定データ取得演算部１１０で取得した原稿特定データとに対応した配信データを配信データ蓄積部１１５から取得する。
【００２７】
以上のようにして、入手したデジタル画像の配信先を特定することができる。また、入手したデジタル画像が不正コピーされたものであるか、あるいは改竄されたものであるかを判別することもできる。
【００２８】
尚、本実施の形態では、原稿の画像領域外に設けた白枠の中に原稿特定情報が貼付けられている場合について説明したが、本発明を適用することによって、原稿特定情報が原稿の画像領域内に貼付けられているデジタル画像からでも原稿特定情報を読み取ることができることは勿論である。
【産業上の利用可能性】
【００２９】
本発明に係るデジタル画像読取装置は、入手したデジタル画像から簡単な装置で配信先の利用者を特定することができるため、著作権保護を目的としたデジタル画像読取装置として有用である。
【図面の簡単な説明】
【００３０】
【図１】本発明によるデジタル画像読取装置の一構成例を示したブロック図。
【図２】本発明による利用者特定情報読取方法の一例を示した図。
【図３】本発明による利用者特定情報読取方法の一例を示した図。
【図４】本発明によるデジタル画像読取装置で読み取るデジタル画像の一形態例を示した図。
【図５】本発明によるデジタル画像読取装置で読み取る原稿特定データ埋め込み位置の一構成例を示した図。
【図６】本発明によるデジタル画像読取装置で読み取る原稿特定データ埋め込み位置の一構成例を示した図。
【符号の説明】
【００３１】
１００  デジタル画像読取装置
１０１  コンピュータ
１０７  原稿データ蓄積部
１０８  原稿特定データ蓄積部
１０９  配信データ蓄積部
１１０  原稿特定データ取得演算部
１１１  原稿データ取得演算部
１１２  原稿特定データ貼付け位置基準値取得部
１１３  原稿特定データ貼付け位置移動演算部
１１４  原稿特定データ貼付け位置照合演算部
１１５  利用者特定データ取得部
【図１】
2006352629.tif 000003
【図２】
2006352629.tif 000004
【図３】
2006352629.tif 000005
【図４】
2006352629.tif 000006
【図５】
2006352629.tif 000007
【図６】
2006352629.tif 000008